(57)【要約】【課題】本考案は、衝撃吸収用シューズに関し、特に、軽量の衝撃吸収用シューズミッドソール及び複数個の衝撃吸収機能を有する格子を備える凹部を有したアウトソールによって、衝撃吸収が可能な軽量の脚長シューズの構造を提供する。【解決手段】本考案は、シューズ着用者の腰と足首等に無理が加えられないようにシューズ全体の重さが軽量で、かつ、衝撃を十分吸収できるようにする硬度が相違する複数個の衝撃吸収機能を有する格子と中空を有するアウトソールと軽量のミッドソールを形成して軽量の衝撃吸収が可能な脚長シューズの構造を提供する。【選択図】        図１
0003109634.tif 000002
【実用新案登録請求の範囲】
【請求項１】
脚長シューズ構造において、
耐磨耗性外部表面１０及び内部発泡性中敷部１２を有するアウトソール１０と、前記アウトソール１０の上に、甲被３０の内面に入るように形成されたミッドソール２０を有する構造であって、
前記ミッドソール２０は、内部においてボンドで接着された、下部発泡フォーム２２、上部織物層２４、及び前記下部発泡フォーム２２と上部織物層２４との間に挟まれた中間層２５からなり、そして前記アウトソール１０の中敷部１２はエアクッション用中空１４ａを形成する格子１４を有し、該エアクッション用中空１４ａは前記衝撃吸収中敷部１２の後踵部に対面する部分に少なくとも一つの凹部２２０を形成し、前記凹部２２０により前記中敷部１２の前踵部に形成されたエアクッション用中空１４ａと共に衝撃吸収機能だけでなく、弾性を維持することを特徴とする、衝撃吸収が可能な軽量の脚長シューズの構造。
【請求項２】
前記中空１４ａが、前記格子１４で形成される複数個の四角形からなることを特徴とする請求項１記載の衝撃吸収が可能な軽量の脚長シューズの構造。
【請求項３】
前記ミッドソール２０が、前記下部発泡フォーム２２にリセス２６を含むことを特徴とする請求項１記載の衝撃吸収が可能な軽量の脚長シューズの構造。
【請求項４】
前記下部発泡フォーム２２が、着脱式補助インソールを更に含むことを特徴とする、請求項１記載の衝撃吸収が可能な軽量の脚長シューズの構造。
【請求項５】
前記中間層２５が、硬度６０−７０を有することを特徴とする請求項１記載の衝撃吸収が可能な軽量の脚長シューズの構造。
【請求項６】
前記中間層２５が、少なくとも２つ以上のサイズの異なる通気孔２５２、２５４を形成することを特徴とする請求項１記載の衝撃吸収が可能な軽量の脚長シューズの構造。
【請求項７】
耐磨耗性外部表面１０及び内部発泡性中敷部１２を有するアウトソール１０と、前記アウトソール１０の上に、甲被３０の内側に入るように形成されたミッドソール２０及び甲被３０を有する脚長シューズの構造であって、
前記ミッドソール２０は、内部においてボンドで接着された、下部発泡フォーム２２、上部織物層２４及び、前記下部発泡フォーム２２と上部織物層２４との間に挟まれた中間層２５からなり、そして前記アウトソール１０の中敷部１２はエアクッション用中空１４ａを形成する格子１４を有し、該エアクッション用中空１４ａは前記中敷部１２の後踵部において少なくとも一つの凹部２２０を形成することを特徴とする脚長シューズの構造。
【請求項８】
（１）耐磨耗性外部表面１０、及びエアクッション用中空１４ａを形成する格  子１４を上面に有する内部発泡性中敷部１２を有し、該格子１４は前記中敷部１２の後踵部において少なくとも一つの凹部２２０を形成するように下に落ち込んでいる構造を有するアウトソール１０、
（２）甲被３０、及び
（３）下部発泡フォーム２２、上部織物層２４及び前記下部発泡フォーム２２と上  部織物層２４との間に挟まれた中間層２５が相互に内部においてボンドで接着されたミッドソール２０
からなるシューズ。
【考案の詳細な説明】
【技術分野】
【０００１】
本考案は、衝撃吸収用シューズに関し、特に、軽量の衝撃吸収用シューズのミッドソール及び複数個の衝撃吸収機能を有する格子を備える凹部を有するアウトソールを有する、衝撃吸収が可能な軽量の脚長シューズの構造に関する。
【背景技術】
【０００２】
近来は、生活水準の向上と需要者の欲求によって、多様なデザインを有する数多くの種類のシューズが製造されており、例えば脚長シューズ等の各種機能を有する特殊なシューズも多様に市場で発売されている。このように、多様な種類で市場で発売され、普通に使われているシューズである、脚長シューズの構造は、底部と前記底部の上部に結合された甲被とに大別される。また、前記シューズの底部はその靴底をなすアウトソールとシューズのミッドソールとに細分できる。ここで、前記アウトソールは耐摩耗性とすべり防止のための機能を充足できるラバー材からなり、前記ミッドソールはポリウレタンまたはポリビニルクロライドまたはエチレンビニルアセテートなどが発泡成形された構造で形成された多様な材質の合成樹脂材からなる。
【０００３】
一方、前記脚長シューズは、その脚長機能を具現するために、格子（lattice）または肋骨構造が多数形成されたシューズ用ミッドソールを成形するために多様な硬度で成形する方法を採択したシューズ構造をしている。
【０００４】
しかし、前記のようなシューズ構造は、脚長シューズの大きさと形態が各々異なる多数の格子を成形しながら、脚長機能の増加のみに考慮しているだけで、衝撃吸収機能を有する格子が多数形成されたシューズ用ミッドソールを成形することを軽視している。言い換えると、このようなシューズ構造は脚長サイズが維持されるように硬度を増加させて脚長機能を提供しているので、その脚長サイズに従う重量の増加に限界があり、緩衝作用の効果は制限されるしかない。このような脚長シューズの脚長サイズによるシューズ自体の重量の増加とアウトソールの伸縮性による緩衝とを考慮していないので、脚長シューズの着用者の歩行時や停止時に腰等に無理を与えることになっているのが実情である。
【考案の開示】
【考案が解決しようとする課題】
【０００５】
ここに、本考案は、前記のような諸問題を解消するために案出したものであって、本考案は、シューズ着用者の腰と足首等に無理が加えられないようにシューズの全体の重さが軽量の、かつ、衝撃を十分吸収できるようにする硬度が相異する複数個の衝撃吸収機能を有する格子と中空を有するアウトソールと軽量のミッドソールとを形成して衝撃吸収が可能な軽量の脚長シューズの構造を提供することをその目的とする。
【課題を解決するための手段】
【０００６】
前記のような目的の達成のための本考案は、脚長シューズ構造において、耐磨耗性外部表面１０及び内部発泡性中敷部１２を有するアウトソール１０と、前記アウトソール１０の上に、甲被３０の内に入れるように形成されたミッドソール２０を有する構造であって、前記ミッドソール２０は、内部において、ボンドで接着された下部発泡フォーム２２と上部織物層２４、前記下部発泡フォーム２２と上部織物層２４との間に挟まれた中間層２５からなり、そして前記アウトソール１０の中敷部１２はエアクッション用中空１４ａを形成する格子１４を有し、該エアクッション用中空１４ａは前記衝撃吸収中敷部１２の後踵部に対面する部分に少なくとも一つの凹部２２０を形成し、前記凹部２２０により前記中敷部１２の前踵部に形成されたエアクッション用中空１４ａと共に衝撃吸収機能だけでなく、弾性を維持することを特徴とする、衝撃吸収が可能な軽量の脚長シューズの構造からなる。
即ち、本考案は
(１)  脚長シューズ構造において、
耐磨耗性外部表面１０及び内部発泡性中敷部１２を有するアウトソール１０と、前記アウトソール１０の上に、甲被３０の内面に入るように形成されたミッドソール２０を有する構造であって、
前記ミッドソール２０は、内部においてボンドで接着された、下部発泡フォーム２２、上部織物層２４、及び前記下部発泡フォーム２２と上部織物層２４との間に挟まれた中間層２５からなり、そして前記アウトソール１０の中敷部１２はエアクッション用中空１４ａを形成する格子１４を有し、該エアクッション用中空１４ａは前記衝撃吸収中敷部１２の後踵部に対面する部分に少なくとも一つの凹部２２０を形成し、前記凹部２２０により前記中敷部１２の前踵部に形成されたエアクッション用中空１４ａと共に衝撃吸収機能だけでなく、弾性を維持することを特徴とする、衝撃吸収が可能な軽量の脚長シューズの構造、
(２)前記中空１４ａが、前記格子１４で形成される複数個の四角形からなることを特徴とする上記(１)記載の衝撃吸収が可能な軽量の脚長シューズの構造、
(３)  前記ミッドソール２０が、前記下部発泡フォーム２２にリセス２６を含むことを特徴とする上記(１)記載の衝撃吸収が可能な軽量の脚長シューズの構造、
(４)  前記下部発泡フォーム２２が、着脱式補助インソールを更に含むことを特徴とする、上記(１)記載の衝撃吸収が可能な軽量の脚長シューズの構造、
(５)  前記中間層２５が、硬度６０−７０を有することを特徴とする上記(１)記載の衝撃吸収が可能な軽量の脚長シューズの構造、
(６)  前記中間層２５が、少なくとも２つ以上のサイズの異なる通気孔２５２、２５４を形成することを特徴とする上記(１)記載の衝撃吸収が可能な軽量の脚長シューズの構造、
(７)耐磨耗性外部表面１０及び内部発泡性中敷部１２を有するアウトソール１０と、前記アウトソール１０の上に、甲被３０の内側に入るように形成されたミッドソール２０及び甲被３０を有する脚長シューズの構造であって、
前記ミッドソール２０は、内部においてボンドで接着された、下部発泡フォーム２２、上部織物層２４及び、前記下部発泡フォーム２２と上部織物層２４との間に挟まれた中間層２５からなり、そして前記アウトソール１０の中敷部１２はエアクッション用中空１４ａを形成する格子１４を有し、該エアクッション用中空１４ａは前記中敷部１２の後踵部において少なくとも一つの凹部２２０を形成することを特徴とする脚長シューズの構造、
(８)  （ａ）耐磨耗性外部表面１０、及びエアクッション用中空１４ａを形成する格  子１４を上面に有する内部発泡性中敷部１２を有し、該格子１４は前記中敷部１２の後踵部において少なくとも一つの凹部２２０を形成するように下に落ち込んでいる構造を有するアウトソール１０、
（ｂ）甲被３０、及び
（ｃ）下部発泡フォーム２２、上部織物層２４及び前記下部発泡フォーム２２と上  部織物層２４との間に挟まれた中間層２５が相互に内部においてボンドで接着されたミッドソール２０
からなるシューズ、
に関するものである。
なお、該本考案のシューズにおいて、ミッドソール２０はアウトソール１０の上に重ねられ、かつ甲被３０の内側に入れられている。
【０００７】
また、本考案は、脚長シューズ構造において、前記エアクッション用中空１４ａが四角形タイプで製作され、前記格子１４は複数個を形成する。
【０００８】
また、前記ミッドソール２０は、前記下部発泡フォーム２２に複数個のリセス２６を含む。
【考案の効果】
【０００９】
以上、説明したように、本考案の軽量の衝撃吸収用シューズのミッドソール及び凹部を有する靴底のアウトソールを使用する衝撃吸収が可能な軽量の脚長シューズの構造によると、脚長シューズの構造は硬度が相異する複数個の衝撃吸収機能を有し、さらに、格子の個数や硬度を自由に変更すれば、この配列方法によって、より軽量で、かつより衝撃吸収を可能にするという長所がある。しかも、本考案は、シューズの甲被の内にミッドソールが入るように予め成形されているので、ミッドソールの挿入時、その内部に容易に脱着できるという上昇効果がある。
【考案を実施するための最良の形態】
【００１０】
以下、本考案の望ましい実施の形態の詳細の説明を添付の図面を参照しながら説明する。
【００１１】
下記説明では、各図面の構成要素に付けられた参照符号は、同じ構成要素に対しては、仮に、別の図面上に表示されても、できる限り、同じ符号が与えられていることに留意しなければならない。また、本考案の説明において、関連の公知機能あるいは構成に対する具体的な説明が本考案の要旨をぼやかすことがあると判断される場合には、その詳細な説明を省略する。
【００１２】
まず、本考案で提案しようとする脚長シューズにおいて、軽量の衝撃吸収用アウトソール１０とミッドソール２０とは大きさ及び形態が固定されたもので説明されている。しかし、それは一例であり、必要に応じて任意に変更しうるものである。例えば軽量の衝撃吸収用アウトソール１０の色相や格子１４は自由に変更可能である。例えば格子１４は硬度が相異する別の格子１４を組み合わせたり、その配列方法を変えることによって自由に変更可能である。本実施の形態では、シューズの中から運動靴をとりあげて、より軽量の、かつ、衝撃吸収が可能な中敷部１２及びミッドソール２０の構造を記述する。
【００１３】
図１ないし図４には、本考案の実施の形態に係る、軽量なシューズ衝撃吸収中敷部１２を有するアウトソール１０、ミッドソール２０及び甲被３０の構造が示されている。前記図面を参照すると、本考案に係る脚長シューズの具現において、運動靴１００は衝撃吸収力の大きい耐磨耗性の外部表面及び発泡性を有するアウトソール中敷部１２を含んだアウトソール１０とミッドソール２０の構造である。前記運動靴１００において、前記アウトソール１０の上に甲被３０が内面にミッドソール２０を挟むように形成される。
【００１４】
詳しくは、前記ミッドソール２０は、上部織物層２４、下部発泡フォーム２２、及び前記上部織物層２４と下部発泡フォーム２２との間に挟まれた中間層２５が一つに結合された状態を示す。
【００１５】
また、前記ミッドソール２０において、下部発泡フォーム２２は、通常中間層２５と一体で構成される。しかし、背が低い人が背を一層高く見えるようにするために、一定の高さを有する着脱式補助インソール（図示していない）を、前記ミッドソール２０に取付ける場合をも、更に含むものである。しかも、前記着脱式補助インソールを利用すると、下部発泡フォーム２２と補助インソールを結合分離できる構造を有することができるので、脚長を調節することができる。言い換えると、本考案はシューズの甲被３０の内側にミッドソール２０が入るように予め成形して、ミッドソール２０の挿入時にその内部に容易に脱着ないし交換できるように構成することができる。この厚さは特に制限はないが、通常数ミリ〜十数センチ程度まで自由に変更しうる。
【００１６】
また、前記ミッドソール２０は、上部織物層２４、中間層２５及び下部発泡フォーム２２とを接着剤（ボンド）等で接着したものであって、前記下部発泡フォーム２２と上部織物層２４とが、中間層２５を挟んで、相互に接して同じ表面を形成する。また好ましい態様においては前記中敷部１２と接する発泡フォーム２２の下面部には少なくとも一つの衝撃緩衝用リセス２６が形成されていてもよい。
【００１７】
前記ミッドソール２０は、多様な材質の合成樹脂材を含むが、前記下部発泡フォーム２２は例えばポリウレタン、ポリビニルクロライド、エチレンビニルアセテートのようなプラスチック材質やコルクなどの天然素材の中から、適宜いずれか一つを選択して構成される。前記ミッドソール２０において、前記中間層２５はエチレン酢酸ビニル（ＥＶＡ）スポンジ等の干渉材質で、前記上部織物層２４はメッシュナイロン織物、不織布等の織物素材からなる。
【００１８】
前記中間層２５は、プラスチック材料の表面の局部の荷重に対し、あまり変形しない硬度（hardness）６０−７０程度を有するが、硬度が６０−７０程度のプラスチック材料等の干渉素材は、歩行時に膝や腰に安らかさを与える適当なクッション力を提供する。
【００１９】
好ましくは、前記中間層２５は高密度圧縮スポンジ、ＥＶＡスポンジ、Ｐ．Ｕ．Ｌポリウレタンのような材質の中から、いずれか一つを選択して構成され、少なくとも２つ以上の通気孔２５２、２５４を形成して空気を供給すると共に、軽量化の一助とすることもできる。前記通気孔２５２、２５４はサイズや形が異なってもよい。該通気孔の形としては円形または楕円形等、多様な形状に変更可能であることは勿論である。
【００２０】
前記下部発泡フォーム２２にはリセス２６が形成されていてもよく、このリセス２６の内周面は、前記ミッドソール２０が挿入される溝形状の凹部２２０の底面と一定の間隔を維持しながら弾性を失わないように形成される。
【００２１】
前記シューズのミッドソール２０の最上部には織物層２４が形成されて足の横振れを防止する。該織物層２４はミッドソール２０の中間層２５の上面に接着され、該織物層２４には通気性と汗吸水性のよい織物が使用される。
【００２２】
その結果、ユーザの希望する、前記下部発泡フォーム２２に着脱が可能な着脱式補助インソールを利用した高さ調節が可能なミッドソール２０を有する脚長シューズを履くと、胴体を介して踵がシューズの底面に安着して着用者の荷重が全体的に分散するので疲労感を減らすことができる。そして、背が高く見えるようにする場合、自分が希望する高さのミッドソール２０を選択して着用すると、安定した歩行をしながら、背も高く見えるようにすることができる。
【００２３】
また、図２における本考案の前記運動靴１００で、前記アウトソール１０の中敷部１２は、アウトソール１０の上側面に、多様な形状の格子１４とエアクッション用中空１４ａとを形成することにより作成される。その際、前記格子１４はシューズの上側から加えられるいろいろの方向の衝撃または重量に対し、力を分散するように、硬度が相異するもので、肋骨形態の四角格子状に形成されるのが好ましい。
【００２４】
ここでは、本考案で具現しようとする前記運動靴１００において、前記四角格子状だけで説明しているが、この格子１４は大きさと形態が相異するように形成されたり、また硬度が相異する複数個のものから形成されたりした、衝撃吸収機能を有するものであれば良い。
【００２５】
前述のエアクッション用中空１４ａは、通常、四角形タイプで製作され、前記複数の格子１４で形成される複数個からなっており、前記格子１４はエアクッション用中空１４ａの外形を形成し、前記ミッドソール２０の軽量化を図りながら相異する複数個の衝撃吸収機能を有するように製作される。
【００２６】
また、前記運動靴１００において、前記アウトソール１０の中敷部１２の前記格子１４とエアクッション用中空１４ａとは前踵だけでなく後踵部でも衝撃吸収及び重量の分散機能を有する。また、前記アウトソール１０の中敷部１２の後踵部（に対面する部分）には少なくとも一つの凹部２２０の空間を形成して、シューズの重量をより減らして軽量化を図る。また、前記中敷部１２は運動靴１００の凹部２２０によって前述のように、前記中敷部１２の前踵部に形成されたエアクッション用中空１４ａと共に衝撃吸収機能だけでなく、弾性を維持する役割をする。
【００２７】
図３を参照すると、本考案で具現しようとする前記運動靴１００において、前記アウトソール１０の外部の表面には多数の小さなウェーブ形状で金型された比較的長さが長い横方向背筋１５及び比較的大きい縦方向の曲面型湾入部１６、１１６が形成される。前記アウトソール１０の踵部に該当する、靴底部後部の横方向背筋１５部分には、横方向背筋１５を遮断する、すべり遮断部１８が提供されて、アウトソール１０のすべりが防止できる。
【００２８】
図４は、図１のアウトソールを側面から見た側断面図である。
【００２９】
また、図４を参照すると、前記アウトソール１０の後踵側の中間部分は、アーチ形態で凹んだラウンド状となり、その際、台支持面からアウトソールの外面までの垂直高さ（ｈ）は１０ｍｍないし３０ｍｍを有する。このラウンド状は歩行中に重さ重心の移動を分散して着用の便利性と安全性を提供する。
【００３０】
前述のように、本考案で提案しようとする脚長シューズにおいて、軽量の、衝撃吸収用アウトソール１０の中敷部１２は大きさと形態が固定されたもので説明されている。しかし、軽量の、衝撃吸収用アウトソール１０の中敷部１２はその硬度が相異する格子１４の配列方法によって、幾らでも自由に変更可能である。
【図面の簡単な説明】
【００３１】
【図１】図１は、本考案の好ましい一実施の形態に係る軽量の衝撃吸収用シューズを示す分解斜視図である。
【図２】図２は、図１に示しているシューズアウトソールの中敷部を示す図面である。
【図３】図３は、図１に示しているアウトソールの中敷部の底面を示す図面である。
【図４】図４は、図１のアウトソールを側面から見た側断面図である。
【符号の説明】
【００３２】
１０  アウトソール
１２  中敷部
１４  格子
１４ａ  中空
１６、１１６  湾入部
１８  すべり遮断部
２０  ミッドソール
２５  中間層
２２  下部発泡フォーム
２４  上部織物層
２６  リセス
【図１】
0003109634.tif 000003
【図２】
0003109634.tif 000004
【図３】
0003109634.tif 000005
【図４】
0003109634.tif 000006